(57)【要約】【課題】コスト高となることなく、しかも運用途上において、景品補充などの作業性を損なうことなく、店員側払出タイプと遊技者側払出タイプとを変更することができる景品払出装置を提供する。【解決手段】マガジンＭの出し入れが行われるとともに遊技者用の表示装置が設けられた上部筐体２Ａと、マガジンＭが装填される駆動ユニット３が収容されるとともに払い出された景品を取り出す景品取出口が設けられた下部筐体２Ｂとを、備え、下部筐体２Ｂが上部筐体２Ａに対して反転装着可能に構成されている。また、駆動ユニット３は、マガジン収容空間を備えたマガジン収容機構Ｈ１と、払い出し時に景品に搬送力を与える払出機構Ｈ２と、を１ユニット化して構成し、払出機構Ｈ２に対してマガジン収容機構Ｈ１が反転取付可能に構成されている。【選択図】図１
2008000349.tif 000002
【特許請求の範囲】
【請求項１】
景品を納めたマガジンが装填され、遊技者と店員とを挟んで設置される景品払出装置であって、
前記マガジンの出し入れが可能な収容扉部を備えるとともに前記遊技者用の表示装置が設けられた上部筐体と、前記マガジンが装填される駆動ユニットが収容されるとともに払い出された前記景品を取り出す景品取出口が設けられた下部筐体とを、備え、
前記下部筐体が前記上部筐体に対して反転設置可能に構成されていることを特徴とする景品払出装置。
【請求項２】
前記駆動ユニットには、前記マガジンを収容するマガジン収容空間を有するマガジン収容機構が設置され、
前記マガジン収容機構は、底部から所定高さ位置までは、前記マガジンの揺動を防止し、それ以上の高さでは一側に向けての所定の傾斜角度範囲の揺動を許容する対向したガイド部材と前記揺動の軸となるガイド部材とを備えるとともに、前記一側に開放部が形成され、前記マガジンを前記開放部から前記所定の傾斜角度をもって挿抜可能に構成され、
前記マガジン収容機構は、前記駆動ユニットに対して前後方向に反転設置可能に構成されていることを特徴とする請求項１に記載の景品払出装置。
【請求項３】
前記駆動ユニットは、前記マガジン収容機構と、前記景品の払い出し時に前記景品に搬送力を与える払出機構と、を１ユニット化して構成され、前記払出機構に対して前記マガジン収容機構が反転設置可能に構成されていることを特徴とする請求項１または請求項２に記載の景品払出装置。
【発明の詳細な説明】
【技術分野】
【０００１】
本発明は、パチンコ店などの遊技場に設置される景品払出装置に関する。
【背景技術】
【０００２】
パチンコ店などの遊技場において、特殊景品の払出用として設置される景品払出装置としては、大別して、据え置きタイプと卓上タイプの２種類がある。据え置きタイプの景品払出装置は、払出口（景品取出口）が遊技場に設置されたカウンタの上面と略同一高さとなるように設置されており、景品はカウンタ上面よりも下方のスペースに収容されるように構成されている。より具体的には、景品払出装置の下部に、景品を収容するためのマガジン収容空間が前後方向にスライド可能に形成されており、このマガジン収容空間を手前に引き出して、上部或いは側部から景品が納められたマガジンを収容するように構成されているものがある（例えば、特許文献１参照）。また、据え置きタイプの場合には、上端面に設けられた蓋を取り外して、上部からマガジンを挿入する形態、または、マガジン収容空間に直接に景品を収容する形態が採用されている。なお、一般的には、マガジンの着脱による景品の補充作業などは、防犯上の理由からカウンタ側、すなわち遊技店の店員側にて行われるようになっている。
【特許文献１】特開２００３−３１１００９号公報（図２）
【発明の開示】
【発明が解決しようとする課題】
【０００３】
ところで、遊技店では、景品の取り出し作業について、景品を払出口から遊技店の店員が取り出して遊技者に手渡す場合と、払出口から払い出された景品を遊技者自身が取り出す場合とがあり、遊技店の環境、客層等により選択され、あるいは設置後に変更されることがある。特に、小型の卓上タイプの場合には、設置後の遊技客の動向に合わせて最終決定することも多い。
【０００４】
このため、従来の景品払出装置、特に据え置きタイプでは、設置後に払出口の向きを店員側から遊技者側、または遊技者側から店員側に変更することができないため、景品払出装置の発注時に遊技店が決定した方法、すなわち遊技店側払出タイプ、遊技者側払出タイプのいずれかに決定されてしまうという問題がある。
【０００５】
また、卓上タイプでは、装置全体を、遊技店（店員）と遊技者との間で反転させることで、装置設置後の運用途上において店員側払出タイプまたは遊技者側払出タイプに変更することは可能であるが、反転した場合に遊技者に景品についての情報を表示するための遊技者用の表示装置を装置の両側に設ける必要があり、コスト高となる問題があった。また、景品の補充作業などは遊技店（店員）側で行うように設計されているのが一般的であるため、このように装置を単に反転させただけであると、景品の補充作業やメンテナンス作業が煩雑になる。
【０００６】
本発明は、前記従来の課題を解決するものであり、コスト高となることなく、しかも運用途上において、景品補充などの作業性を損なうことなく店員側払出タイプと遊技者側払出タイプとを変更することができる景品払出装置を提供することを目的とする。
【課題を解決するための手段】
【０００７】
本発明は、景品を納めたマガジンが装填され、遊技者と店員とを挟んで設置される景品払出装置であって、前記マガジンの出し入れが可能な収容扉部を備えるとともに前記遊技者用の表示装置が設けられた上部筐体と、前記マガジンが装填される駆動ユニットが収容されるとともに払い出された前記景品を取り出す景品取出口が設けられた下部筐体とを、備え、前記下部筐体が前記上部筐体に対して反転設置可能に構成されていることを特徴とする。
【０００８】
これによれば、景品取出口が設けられた下部筐体のみ遊技者側に向けて反転させることができるので、表示装置が設けられた上部筐体はそのままの向きで、景品取出口が設けられた下部筐体のみを遊技者側に向けることができる。これにより、表示装置を店員側と遊技者側の両側に設ける必要がなく、しかも店員の作業性を損なうこともない。
【０００９】
また、前記駆動ユニットには、前記マガジンを収容するマガジン収容空間を有するマガジン収容機構が設置され、前記マガジン収容機構は、底部から所定高さ位置までは、前記マガジンの揺動を防止し、それ以上の高さでは一側に向けての所定の傾斜角度範囲の揺動を許容する対向した案内ガイド部と前記揺動の軸となる揺動ガイド部とを備えるとともに、前記一側に開放部が形成され、前記マガジンを前記開放部から前記所定の傾斜角度をもって挿抜可能に構成され、前記マガジン収容機構は、前記駆動ユニットに対して前後方向に反転設置可能に構成されていることが好ましい。
【００１０】
この構成によれば、マガジン収容機構を反転設置可能に構成することで、下部筐体を反転させたとしてもマガジンを傾斜させた状態で挿入することができ、マガジンの装填作業が損なわれることがない。
【００１１】
また、前記駆動ユニットは、前記マガジン収容機構と、前記景品の払い出し時に前記景品に搬送力を与える払出機構と、を１ユニット化して構成され、前記払出機構に対して前記マガジン収容機構が反転設置可能に構成されていることが好ましい。
【００１２】
この構成によれば、下部筐体を上部筐体に対して反転して取付けたとしても、マガジン収容機構を払出機構に対して反転して取り付けるという簡単な作業だけで対応できるようになる。
【発明の効果】
【００１３】
本発明によれば、コスト高となることなく、しかも運用途上において、景品補充などの作業性を損なうことなく店員側払出タイプと遊技者側払出タイプとを変更することができる。
【発明を実施するための最良の形態】
【００１４】
図１は本実施形態の景品払出装置の外観側面図を示し、（ａ）は店員側払出タイプに設定したとき、（ｂ）は遊技者側払出タイプに設定したとき、図２は本実施形態の景品払出装置の外観正面図を示し、（ａ）は店員側払出タイプに設定したとき、（ｂ）は遊技者側払出タイプに設定したとき、図３は本実施形態の景品払出装置を店員側払出タイプに設定したときの内部構造を示す分解斜視図、図４は本実施形態の景品払出装置を遊技者側払出タイプに設定したときの内部構造を示す分解斜視図、図５は駆動ユニットが下部筐体に取付けられた状態の側面図を示し、（ａ）は店員側払出タイプに設定されたとき、（ｂ）は遊技者側払出タイプに設定されたとき、図６は店員側払出タイプに設定されたときの駆動ユニットの平面図、図７は遊技者側払出タイプに設定されたときの駆動ユニットの平面図、図８は店員側払出タイプに設定されたときの駆動ユニットの店員側から見たときの正面図、図９は遊技者側払出タイプに設定されたときの駆動ユニットの遊技者側から見たときの正面図、図１０は本実施形態の景品払出装置を店員側払出タイプに設定したときの外観斜視図を示し、（ａ）は店員側から見たとき、（ｂ）は遊技者側から見たとき、図１１は図８のＡ−Ａ線矢視図、図１２は図８のＢ−Ｂ線矢視図、図１３は駆動ユニットに装填されるマガジンを示し、（ａ）は側面図、（ｂ）は正面図、（ｃ）は背面図、（ｄ）は（ａ）のＣ−Ｃ断面図、図１４は本実施形態の景品払出装置を示す制御ブロック図、図１５は景品取出口の拡大斜視図、図１６はマガジンをマガジン収容空間に収容するときの動作説明図であり、（ａ）はマガジンの挿入初期の状態、（ｂ）はマガジンの挿入途中の状態、（ｃ）はマガジンの挿入完了状態、図１７は本実施形態の景品払出装置を上方からみたときの透視平面図である。
【００１５】
本実施形態の景品払出装置１は、パチンコ店などの遊技場で貴金属などの高価な景品が収容されたカード状の特殊景品（以下、景品と略記する）を払い出す装置であり、図１（ａ）および（ｂ）に示すように、筐体２、駆動ユニット３、マガジンＭなどで構成されている。また、本実施形態における景品払出装置１は、卓上タイプであり、遊技場のカウンタＴ上に設置されて利用されるものである。
【００１６】
また、本実施形態の景品払出装置１は、図３に示すように、払い出された景品を取り出すための後記する景品取出口２７（景品取出し用扉２４の後方）が店員側に向けられる店員側払出タイプと、図４に示すように、景品取出口２７が遊技者（お客）側に向けられる遊技者側払出タイプと、に変更できるように構成されている。なお、以下の説明では、店員側払出タイプと遊技者側払出タイプのいずれであっても、店員側を前方とし、遊技者側を後方として説明する。
【００１７】
前記筐体２は、横長で（図２（ａ），（ｂ）参照）、側面視したときの形状が、下部の奥行きが長く、上部に向かうにつれて奥行きが徐々に短くなる台形に近い形状である（図１（ａ），（ｂ）参照）。また、筐体２は、図１に示すように、奥行き（幅）方向を中心にほぼ対称形状となるように形成されている。また、筐体２の底面には、装置をカウンタＴ上にガタツキなく設置するための、高さ調節可能な４本の脚部２１ｓが設けられている。
【００１８】
図３および図４に示すように、前記筐体２は、上部筐体２Ａと下部筐体２Ｂとが互いに分離可能に構成されており、上部筐体２Ａに対して下部筐体２Ｂが、前後方向（水平方向）に１８０度反転取付可能に構成されている。なお、以下では、景品払出装置１の各構成について、店員側払出タイプを主に参照しながら説明する。
【００１９】
図１（ａ）に示すように、前記上部筐体２Ａは、ユニット着脱用扉２２，２３を備え、ユニット着脱用扉２２，２３が上下方向に互いに離れる方向に回動しながら解放するように構成されている。また、上側に位置するユニット着脱用扉２２は、上部筐体２Ａの高さ方向中央部から前面および上面全体を含んで大きく開放するようになっており、上面後端を軸として回動可能に支持されている。ユニット着脱用扉２３は、上部筐体２Ａの高さ方向中央部より下側の前面が下端部を軸として開放するようになっている。なお、このユニット着脱用扉２２，２３が、本実施形態の収容扉部に相当する。
【００２０】
また、前記上部筐体２Ａは、背面すなわち遊技者側の面のほぼ全体が背面パネル２２ａとして構成され、この背面パネル２２ａが、水平方向外側にスライド可能に突出するようになっている。この背面パネル２２ａは、上部筐体２Ａのほぼ背面全体が突出するようになっており、液晶や有機ＥＬ（エレクトロルミネッセンス）などで形成された薄型で大型の表示装置２８が設けられている（図１０（ｂ）参照）。この表示装置２８は、遊技者用に設けられたものであり、例えば払い出された景品の種類や枚数が表示されるようになっている。
【００２１】
前記下部筐体２Ｂには、店員側に、景品の払い出しが完了したときに開き、景品を取り出せるようにした景品取出し用扉２４が設けられている。この景品取出し用扉２４は、開放したときに、その先端の一部が下部筐体２Ｂの外部に突出するように回動可能に支持されている。
【００２２】
これらのユニット着脱用扉２２，２３、景品取出し用扉２４および背面パネル２２ａは、すべてが完全に閉じられた場合には、側面視したときに筐体２から外側に突出しないような構成となっている。
【００２３】
また、前記上部筐体２Ａに設けられたユニット着脱用扉２２には、図２（ａ）および図１０（ａ）に示すように、店員用として使用される薄型で小型の表示装置２６が設けられている。この表示装置２６についても、前記表示装置２８と同様に、液晶や有機ＥＬなどの薄型の表示手段により構成されている。この表示装置２６には、例えば、景品の残量や、景品詰まりが発生したときの警告が表示されるようになっている。
【００２４】
図３に示すように、前記下部筐体２Ｂは、基本構成が同一（後記する景品タイプを区分するための部分を除いて同一構成）の駆動ユニット３を左右方向に複数台（本実施形態では４台であるが、この台数に限定されない）収容可能なユニット収容部２５を備えている。このユニット収容部２５は、上部が開放した凹状の空間によって構成されている（図１（ａ）参照）。
【００２５】
また、前記下部筐体２Ｂには、前記景品取出し用扉２４の裏側に、払い出された景品を取り出すための複数の景品取出口２７（本実施形態では８箇所）が設けられている。この景品取出口２７は、一の駆動ユニット３に対して２箇所設けられ、計８箇所に設けられている。この景品取出口２７には、払い出された景品が前に払い出された景品の上に積み重なるようにして排出されるようになっている。
【００２６】
前記駆動ユニット３は、マガジン収容機構Ｈ１と払出機構Ｈ２とが１ユニットとして構成され、マガジン収容機構Ｈ１が払出機構Ｈ２に対して前後方向に反転取付可能に構成されている（図３および図４参照）。
【００２７】
前記マガジン収容機構Ｈ１は、マガジンＭを１本ずつ収容する２つのマガジン収容空間Ｓａ，Ｓｂを備えている。このマガジン収容空間Ｓａ，Ｓｂは、それぞれ金属板で形成された、左右方向（駆動ユニット３の並び方向）に並んで位置する側板３１ａ，３１ｂ，３１ｃと、前後方向（奥行き方向）に位置する側板３１ｄ，３１ｅ，３１ｆ，３１ｇと、で構成されている。側板３１ａ，３１ｂ，３１ｄ，３１ｅによって方形状に囲まれた内側の空間が、マガジン収容空間Ｓａとして構成され、側板３１ｂ，３１ｃ，３１ｆ，３１ｇによって方形状に囲まれた内側の空間が、マガジン収容空間Ｓｂとして構成されている。なお、本実施形態では、側板３１ｂが、マガジン収容空間Ｓａとマガジン収容空間Ｓｂとの間に位置する共通部材として構成されている。
【００２８】
図５（ａ）に示すように、前記側板３１ａは、側面視で横長矩形状の外形における前側に位置する上部角部が、略四角状に切り欠かれた切欠部３１ａ１となって形成されている。また、前記側板３１ｂ，３１ｃについても、同様にして、前側に位置する上部角部が、略四角形状に切り欠かれた切欠部３１ｂ１，３１ｃ１となって形成されている。また、図３に示すように、側板３１ｄは、側板３１ａ，３１ｂの前方上縁部と同じ高さに形成され、側板３１ｅは、側板３１ａ，３１ｂの後方上縁部と同じ高さに形成されている。また、側板３１ｆは、側板３１ｂ，３１ｃの前方上縁部と同じ高さに形成され、側板３１ｇは、側板３１ｂ，３１ｃの後方上縁部と同じ高さに形成されている。これにより、マガジン収容空間Ｓａ，Ｓｂを有するマガジン収容機構Ｈ１には、前方が後方よりも一段低く形成された本実施形態の開放部Ｐａ，Ｐｂが形成されるようになっている。
【００２９】
図８に示すように、前面の側板３１ｄ，３１ｆの下部には、景品Ｑ（図３参照）が排出される凹状に切り欠かれた開口部３１ｄ１，３１ｆ１が形成されている。また、図９に示すように、後面の側板３１ｅ，３１ｇにも、同様に、凹状に切り欠かれた開口部３１ｅ１，３１ｇ１が形成されている。なお、側板３１ａ，３１ｂ，３１ｃには、それぞれ適宜大きさの孔ｎが複数個（本実施形態では各４個）形成されており、マガジン収容機構Ｈ１の軽量化が図られている（図３および図５（ａ）参照）。また、マガジン収容空間Ｓａ，Ｓｂには、マガジンＭを収容する際の工程の容易化を図る各種部材、駆動ユニット３の着脱を容易化する部材が設けられているが、これについては後記する。
【００３０】
次に、マガジン収容機構Ｈ１の各種部材について説明する。
図１１に示すように、マガジン収容機構Ｈ１は、揺動ガイド部３４、案内ガイド部３５、位置決めガイド部３６、ガイド部３７を備えている。なお、図１１は、マガジン収容空間Ｓａ側を示し、また、マガジン収容空間Ｓａを構成する内壁には、紙面手前側の対向する内壁にも、揺動ガイド部３４、案内ガイド部３５、位置決めガイド部３６（図示せず）が設けられている（図７参照）。つまり、マガジン収容空間Ｓａには、一対の揺動ガイド部３４、一対の案内ガイド部３５、一対の位置決めガイド部３６、一対のガイド部３７を備えている。また、マガジン収容空間Ｓｂを構成する内壁にも同様にして、一対の揺動ガイド部３４、一対の案内ガイド部３５、一対の位置決めガイド部３６を備えている。したがって、図示している各ガイド部３４，３５，３６，３７以外については、同一の符号を付してその説明を省略する。なお、前記した案内ガイド部３５およびガイド部３７が、請求項２に記載の、対向したガイド部材に相当し、揺動ガイド部３４が、揺動の軸となるガイド部材に相当する。
【００３１】
図１１に示すように、前記揺動ガイド部３４は、マガジンＭの揺動を許容しながら支持する円板形状の部材で形成され、側板３１ｂの上部、かつ、マガジン収容空間Ｓａの前後方向の中央部に固定されている。
【００３２】
図１１に示すように、前記案内ガイド部３５は、開放部Ｐａと対向する側（マガジンＭの挿入方向の奥側）の側板３１ｅに固定され、所定の幅で上下方向に延びて形成されている。この案内ガイド部３５は、上側に位置する範囲Ｒ１内ではその表面と中心線Ｏとの距離が寸法Ｌ１で形成された平坦面３５ｂを有し、下側に位置する範囲Ｒ２内ではその表面と中心線Ｏとの距離が前記寸法Ｌ１よりも短い寸法Ｌ２で形成された平坦面３５ｃを有し、さらに、その範囲Ｒ１と範囲Ｒ２との間の範囲Ｒ３では、平坦面３５ｂと平坦面３５ｃとの間で滑らかに連続的な面となるような傾斜面３５ａを有している。
【００３３】
前記位置決めガイド部３６は、揺動ガイド部３４の直径と同じ幅で形成された略長方形状の部材で形成され、側板３１ｂの下部、かつ、マガジン収容空間Ｓａの前後方向の中央部に固定されている。すなわち、位置決めガイド部３６は、前記揺動ガイド部３４に対して、マガジンＭを駆動ユニット３に完全に装填したときに、図１１において２点鎖線で示すように、マガジンＭが垂直に起立した状態で収容される位置に形成されている。
【００３４】
さらに、前記マガジン収容空間Ｓａには、前記案内ガイド部３５と対向する側板３１ｄに、所定の幅で上下方向に延びるガイド部３７が設けられている。また、ガイド部３７は、底部から所定高さ位置までの範囲Ｒ３内では、その表面と中心線Ｏとの距離が短く（前記寸法Ｌ２と同様）形成された平坦面３７ｃを有し、所定高さよりも上側では、その表面と中心線Ｏとの距離が徐々に長くなる傾斜面３７ａを有している。
【００３５】
なお、前記した揺動ガイド部３４、案内ガイド部３５、位置決めガイド部３６、ガイド部３７の材質としては、マガジンＭを円滑に動作させることができ、かつ、耐摩耗性などに優れるものであれば、特に限定されるものではないが、例えば、ガラス繊維入りのポリアセタール（略称：ＰＯＭ）を挙げることができる。
【００３６】
以上のように、マガジン収容空間Ｓａでは、側板３１ａ，３１ｂと、案内ガイド部３５の平坦面３５ｃ，３５ｃと、ガイド部３７の平坦面３７ｃ，３７ｃとで、マガジンＭの揺動を防止するための側壁が構成されている。一方、マガジン収容空間Ｓｂでは、側板３１ｂ，３１ｃと、案内ガイド部３５の平坦面３５ｃ，３５ｃと、ガイド部３７の平坦面３７ｃ，３７ｃとで、マガジンＭの揺動を防止するための側壁が構成されている。
【００３７】
図１２に示すように、前記払出機構Ｈ２は、払い出し時に景品Ｑ（図３参照）に搬送力を与えるものであり、収容ケースＫ、駆動モータ３２Ａ，３２Ｂと、駆動力伝達機構３３Ａ，３３Ｂと、を含んで構成されている。
【００３８】
前記収容ケースＫは、上部が開放する形状で、薄板状の金属板を曲げ、孔あけ、溶着加工等により形成され、前記駆動モータ３２Ａ，３２Ｂと駆動力伝達機構３３Ａ，３３Ｂにより景品を払い出すための搬送手段を収容するものである。
【００３９】
前記駆動モータ３２Ａは、回転力を得ることができる電動式のものであり、収容ケースＫ内の後寄りに横置きに設けられている。また、駆動モータ３２Ｂは、駆動モータ３２Ａと同様なものであり、収容ケースＫ内の前寄りに横置きに設けられている。また、駆動モータ３２Ａと駆動モータ３２Ｂは、同じ高さ位置で前後方向に位置するように（図１１参照）、かつ、収容ケースＫから突出しないように配置されている。なお、駆動モータ３２Ａ，３２Ｂは、必要に応じて正逆両方向に回転可能なモータであってもよい。
【００４０】
また、前記駆動モータ３２Ａ，３２Ｂは、駆動軸ｍ１，ｍ２を有し、駆動モータ３２Ａの駆動軸ｍ１と、駆動モータ３２Ｂの駆動軸ｍ２とが、互いに逆向き（１８０度反転した向き）となるように配置されている。
【００４１】
前記駆動力伝達機構３３Ａは、プーリーＰ１，Ｐ２，Ｐ３，Ｐ４、駆動力伝達ベルトＢ１、景品搬送ベルトＢ２（図５（ａ）参照）で構成されている。また、駆動力伝達機構３３Ｂについても、同様に、プーリーＰ５，Ｐ６，Ｐ７，Ｐ８、駆動力伝達ベルトＢ３、景品搬送ベルトＢ４（図５（ｂ）参照）で構成されている。
【００４２】
前記プーリーＰ１は、駆動モータ３２Ａの駆動軸ｍ１に固定され、駆動軸ｍ１の回転とともに一緒に回転するようになっている。前記プーリーＰ２は、収容ケースＫの前端に、駆動モータ３２Ｂの斜め前方上方に位置するように回転自在に支持されている（図５（ａ）参照）。前記プーリーＰ３は、プーリーＰ２と同軸で一体に回転するように収容ケースＫに支持されている。前記プーリーＰ４は、プーリーＰ３とほぼ同径で、プーリーＰ３の後方に位置するように、収容ケースＫに回転自在に支持されている。
【００４３】
前記駆動力伝達ベルトＢ１は、ゴムや合成樹脂などで形成された無端状のベルトであり、プーリーＰ１，Ｐ２に架け渡されている。
【００４４】
前記景品搬送ベルトＢ２は、ゴムや合成樹脂などで形成された無端状のベルトであり、前記駆動力伝達ベルトＢ１よりも幅広で、かつ、景品Ｑの幅よりも狭く形成され、プーリーＰ３，Ｐ４に掛け渡されている。この景品搬送ベルトＢ２は、その上側に位置する部分がマガジン収容空間Ｓａの底部に露出しており、その表面には、景品Ｑを引っ掛けて搬送するための凸条の景品引っ掛け突起４１が等間隔で３箇所に形成されている（図８、図１１参照）。
【００４５】
なお、前記プーリーＰ５，Ｐ６，Ｐ７，Ｐ８、駆動力伝達ベルトＢ３および景品搬送ベルトＢ４は、前記した駆動力伝達機構３３Ａと同様に形成されているのでその説明を省略する。ただし、駆動力伝達機構３３Ａと駆動力伝達機構３３Ｂとでは、駆動モータ３２Ａ，３２Ｂの位置が異なるので、駆動力伝達機構３３Ａでは、プーリーＰ１とプーリーＰ２との距離が長くなるため、駆動力伝達ベルトＢ１の長さが長くなり、駆動力伝達機構３３Ｂでは、プーリーＰ５とプーリーＰ６との距離が前記と比べて短くなるため、駆動力伝達ベルトＢ３の長さが短くなっている。
【００４６】
次に、駆動ユニット３の各マガジン収容空間Ｓａ，Ｓｂに装填されるマガジンＭについて、図１３を参照しながら説明する。
図１３（ａ）〜（ｃ）に示すように、前記マガジンＭは、四角薄板状に形成された景品Ｑを厚み方向に複数枚積層した状態で収納することができる内部空間を有し、四角筒状の筐体５０により形成されている。また、図１３（ａ）に示すように、マガジンＭの長手方向の側面には、内側に凹むように形成された凹状の案内溝５１が上端面から下端面にかけて幅寸法Ｗで形成されている。この幅寸法Ｗは、前記した揺動ガイド部３４および位置決めガイド部３６が摺動しながら案内される寸法に設定されている。なお、マガジンＭの反対側の側面にも、揺動ガイド部３４および位置決めガイド部３６と摺動可能な案内溝５１が形成されている（図１３（ｄ）参照）。
【００４７】
図１３（ｂ）に示すように、前記マガジンＭの正面には、縦長形状で幅広の窓５２が形成され、この窓５２から、収容された景品Ｑを視認できるようになっている。また、マガジンＭの下端部には、マガジンＭの外寸幅と幅がほぼ同じに形成された略四角形状のプレート５３が固定されている。このプレート５３には、その下端に、上下方向に動作可能な門型のシャッタ５４が設けられ、このシャッタ５４が図示しない付勢手段によって常に下方に付勢されるようになっている。一方、マガジンＭが装填されるマガジン収容空間Ｓａ，Ｓｂ内の底部の前端部には、図６に示すように、水平かつ後方に突出するシャッタ開閉板３１Ｓ（斜線部分）が設けられ、このシャッタ開閉板３１Ｓの先端縁部に凸状部３１ｈが形成され、この凸状部３１ｈにシャッタ５４の内壁天井部が当接することで、シャッタ５４が押し上げられて開放するようになっている。
【００４８】
また、図１３（ｂ）に示すように、前記シャッタ５４の内側には、マガジンＭを識別するためのマガジン識別部５５が設けられている。このマガジン識別部５５は、前方（紙面手前側）に突出する一対の識別片５５ａ，５５ａが間隔を開けて左右に形成されている。一方、マガジン収容空間Ｓａ，Ｓｂ内の前記シャッタ開閉板３１Ｓに形成された凸状部３１ｈには、図６に示すように、識別片５５ａ，５５ａと同じ間隔で形成された一対のスリット３１ｉ，３１ｉが形成されている。このスリット３１ｉ，３１ｉ内を、識別片５５ａ，５５ａが通り抜けできることで、マガジンＭがマガジン収容空間Ｓａ，Ｓｂ内に完全に装填できるようになっている。したがって、マガジンＭに納められる景品Ｑの種類毎に、識別片５５ａ，５５ａの間隔と、スリット３１ｉ，３１ｉの間隔とをそれぞれ変えることで、マガジンＭの装填位置の間違いを防止できるようになっている。このことにより、景品Ｑが複数種類ある場合、常に同じ種類の景品Ｑを同じ景品取出口２７から払い出すことができるようになる。
【００４９】
また、図６に示すように、マガジン収容空間Ｓａ，Ｓｂ内の底部の前記シャッタ開閉板３１Ｓと対向する後端には、マガジンＭの前後方向の逆挿しを防止するための、水平かつ前方に突出する逆挿し防止板３１Ｔ（斜線部分）が設けられている。この逆挿し防止板３１Ｔは、一対の突板部３１ｊ，３１ｊを有している。つまり、装填位置は正しいが、マガジンＭの前後を逆に挿した場合には、前記識別片５５ａ，５５ａが突板部３１ｊ，３１ｊに当接することで逆挿しを防止できるようになっている。
【００５０】
また、前記逆挿し防止板３１Ｔには、突板部３１ｊと突板部３１ｊとの間に、凹状の切欠部３１ｋが形成され、この切欠部３１ｋ内を後記する景品錘６０のつまみ６１が通り抜けできるようになっている。
【００５１】
また、前記したシャッタ開閉板３１Ｓと逆挿し防止板３１Ｔは、ねじ留めによって着脱自在に構成されており、店員側払出タイプと遊技者側払出タイプとを変更する際に、付け替えることができるようになっている（図６および図７参照）。
【００５２】
なお、図示していないが、マガジンＭの下端正面には、シャッタ５４が上がったときに、景品１枚分の景品Ｑが通り抜けることができるスリット状の搬送路が形成されるようになっている。駆動ユニット３からマガジンＭを抜き取った場合には、シャッタ５４が降りて、前記スリット状の搬送路が閉じるようになって、例えばマガジンＭを運搬中にマガジンＭからの景品Ｑの脱落が防止される。
【００５３】
さらに、図１３（ｃ）に示すように、マガジンＭの背面には、細縦長形状の窓５６が形成され、この窓５６から、内部に収容された景品Ｑを視認できるようになっている。また、マガジンＭの下端背面には、横細長形状の２本のプレート５７，５８が固定されている。
【００５４】
また、図１３（ａ）〜（ｃ）に示すように、マガジンＭ内には、積層された景品Ｑの最上部に景品錘６０が載せられている。この景品錘６０は、平面視したときの形状が、景品Ｑとほぼ同じプレート状をしている（図１３（ｄ）参照）。また、景品錘６０には、つまみ６１が設けられ、このつまみ６１が前記窓５６から突出するようになっている。この景品錘６０により、マガジンＭの運搬中に景品Ｑが飛び跳ねて、積層状態が乱れるのを防止したり、装着後は、景品引っ掛け突起４１による景品Ｑの払出しが確実になる。
【００５５】
なお、前記したプレート５３、シャッタ５４、プレート５７，５８、つまみ６１などは、前記と同様なＰＯＭなどの材質のものを使用して形成することができる。
【００５６】
また、マガジンＭの上面には、線材を折り曲げて形成した取手６２が設けられている。この取手６２は、マガジンＭの上部に回動自在に支持されており、使用時には筐体５０から外側に突出させることで手に掛けて持ち運ぶことができ、非使用時には倒すことで筐体５０から外側に突出しないようになっている。
【００５７】
図１１に示すように、本実施形態の駆動ユニット３のマガジン収容空間Ｓａの底部には、マガジンＭ内の景品Ｑの有無を検知する景品有無センサＳ１が設けられている。この景品有無センサＳ１は、回動自在に支持された検出片７１を有し、この検出片７１は、搬送ベルトＢ２の脇に位置し（図６参照）、マガジンＭが駆動ユニット３にセットされたときに、景品Ｑの下面が接触する位置に設けられている。この景品有無センサＳ１では、景品Ｑおよび景品錘６０によって検出片７１が押圧されている場合には、マガジンＭ内に景品Ｑが残っていると判断でき、また、検出片７１が立ち上がった場合には、マガジンＭ内の景品が空になったと判断できる。ちなみに、景品錘６０は、景品Ｑが空になってマガジンＭの最下部に位置した場合でも検出片７１を押圧しないように対応位置が切り欠かれており、マガジンＭが空になった場合には、検出片７１が押圧されないことによりマガジンＭが空になったことが検出可能となっている。なお、ここではケース３１Ａ側の景品有無センサＳ１のみについて説明したが、ケース３１Ｂ側についても、同様にして景品有無センサＳ１が設けられている。
【００５８】
図８に示すように、駆動ユニット３には、景品Ｑが指示された枚数だけ排出されたか否かを検知する景品カウントセンサＳ２，Ｓ２が設けられている。この景品カウントセンサＳ２は、側板３１ｄ，３１ｆの外面に固定され、後方（紙面奥側）に付勢されるとともに前方（紙面手前側）に押されながら回動する検出片７２を有し、この検出片７２が下向きで開口部３１ｄ１内に突出するように構成されている。この景品カウントセンサＳ２では、払い出し指令に基づいて、景品Ｑが開口部３１ｄ１，３１ｆ１から排出されるときに、景品Ｑによって検出片７２が前方に押圧され、景品Ｑが完全に払い出されることによって検出片７２が弾性復帰することによって、１枚の景品Ｑが駆動ユニット３から排出されたと判断される。
【００５９】
また、前記景品カウントセンサＳ２は、ねじ留めによって着脱自在に構成されており、店員側払出タイプから遊技者側払出タイプに変更する際に、図８に示すように、側板３１ｄ，３１ｆに設けられた景品カウントセンサＳ２を、図９に示すように、景品カウントセンサＳ２を側板３１ｅ、３１ｇに付け替えることができるようになっている。ちなみに、景品カウントセンサＳ２を側板３１ｅ側と側板３１ｇ側の両方に備えて、付け替えの手間を省くようにしてもよい。
【００６０】
なお、前記駆動ユニット３は、マガジン収容機構Ｈ１と払出機構Ｈ２とが１ユニット化して構成され、図３および図４に示すように、店員側払出タイプと遊技者側払出タイプとに応じて、マガジン収容機構Ｈ１を払出機構Ｈ２に対して反転して取り付けできるようになっている。なお、マガジン収容機構Ｈ１と払出機構Ｈ２とを互いに固定する手段としては、例えばねじ留めなどによって構成することができる。
【００６１】
図１１に示すように、前記払出機構Ｈ２は、駆動ユニット３を制御するためのユニット制御部１００を備えている。このユニット制御部１００は、ＣＰＵ、記憶装置、各種回路、入出力インターフェース回路などを備えて構成され、縦長箱形のケース１０１に収容され、このケース１０１が収容ケースＫの背面に固定されるように構成されている。
【００６２】
前記ケース１０１には、ユニット固定部８０が設けられている。このユニット固定部８０は、金属製などの板材を折り曲げて形成したものであり、図６に示すように、左右方向（駆動ユニット３の幅方向）に細長く形成された板部８０ａを有し、板部８０ａの長手方向に延びる一縁部が垂直に折り曲げられた長片部８０ｂと、長手方向両端の縁部が前記長片部８０ｂとは逆向きに垂直に折り曲げられた短片部８０ｃ，８０ｃと、が形成されている。また、長片部８０ｂには、左右方向の中央部にねじ挿通穴８０ｂ１が穿設されている。また、ユニット固定部８０は、板部８０ａがケース１０１の上面１０１ａに、長片部８０ｂが上方、短片部８０ｃ，８０ｃが下方をそれぞれ向くように、蝶番８１，８１を介して回動自在に連結されている。
【００６３】
また、図１１に示すように、払出機構Ｈ２の正面（図示左側）の下部には、オスコネクタ９０が設けられており、このオスコネクタ９０が下部筐体２Ｂの内側に設けられたメスコネクタ２１０と接続されるようになっている。このオスコネクタ９０は、ユニット制御部１００と電気的に接続されている。
【００６４】
また、図１４に示すように、各駆動ユニット３に設けられたユニット制御部１００は、筐体２側に設けられたメイン制御部２００とそれぞれ接続されている。メイン制御部２００には、ＣＰＵ、記憶装置、各種回路、入出力インターフェースなどで構成され、作動させる必要のある駆動ユニット３に対して、所定の信号（払い出す景品Ｑの枚数など）を送信するようになっている。
【００６５】
また、前記ユニット制御部１００は、駆動モータ３２Ａ，３２Ｂ、景品有無センサＳ１、景品カウントセンサＳ２および景品抜き取りセンサＳ３と電気的に接続され、駆動モータ３２Ａ，３２Ｂの回転および停止を制御する。また、ユニット制御部１００は、景品有無センサＳ１からの信号に基づいてマガジンＭ内の景品Ｑが空になったことを検知した場合には、景品が空である旨の信号をメイン制御部２００に送信する。この信号を受けたメイン制御部２００は、店員側の表示装置２６に、このマガジンＭの景品Ｑが空になった旨を警告表示する。また、ユニット制御部１００は、メイン制御部２００からの景品払い出し枚数を示す信号に基づいて、景品カウントセンサＳ２からの信号に基づいてカウント枚数を確認しながら、景品Ｑの払い出しを行う。なお、景品Ｑの詰まりなどで、景品カウントセンサＳ２からの検出出力が得られなくなった場合には、表示装置２６に警告表示を行う。
【００６６】
なお、前記景品抜き取りセンサＳ３は、払い出した景品Ｑが店員あるいは遊技者により景品取出口２７から全部抜き取られたか否かを判断するセンサであり、図１５に示すように、景品取出口２７の底面に進退自在に支持され、突出する方向に付勢された検出片７３を備えている。この検出片７３は、景品Ｑが景品取出口２７に払い出されると景品Ｑの重みによって押圧され、景品Ｑが全部抜き取られることにより底面から突出した状態に復帰する。このように検出片７３が押され、そして復帰することにより、その位置の景品取出口２７からの景品Ｑの抜き取りが完了したことが検知される。
【００６７】
また、メイン制御部２００は、外部のＰＯＳ（Ｐｏｉｎｔ  Ｏｆ  Ｓａｌｅｓ）装置３００と通信可能に接続されるとともに、表示装置２６、表示装置２８、景品抜き取りセンサＳ３と接続されている。このメイン制御部２００は、各駆動ユニット３などを統括的に制御するものであり、ＰＯＳ装置３００からの景品払出指令に基づいて払い出しを要する景品に対応した（景品Ｑの払出しが必要な）駆動ユニット３に、払出しの要求信号を送るようになっている。また、各駆動ユニット３の現在の状態を監視して、表示装置２６などにその状態（景品Ｑの残量など）を表示する。
【００６８】
このように構成された本実施形態の景品払出装置１は、図１（ａ）、図２（ａ）、図３、図５（ａ）、図６、図８、および図１０（ａ）に示す店員側払出タイプと、図１（ｂ）、図２（ｂ）、図４、図５（ｂ）、図７および図９に示す遊技者側払出タイプとの間で払出タイプを自由に変更することができるようになっている。つまり、店員側払出タイプの場合には、図３に示すように、下部筐体２Ｂが上部筐体２Ａに対して、景品取出口２７が店員側に向けられ、さらにマガジン収容機構Ｈ１の開放部Ｐａ，Ｐｂ（図５（ａ）参照）が店員側に向けられた状態で組み付けられる。一方、遊技者側払出タイプの場合には、図４に示すように、下部筐体２Ｂが上部筐体２Ａに対して前後方向に１８０度反転して（左右逆に）取り付けられて、景品取出口２７が遊技者側に向けられるようになっている。また、下部筐体２Ｂが反転して取り付けられることにより駆動ユニット３も反転した状態になるが、このときマガジン収容機構Ｈ１が払出機構Ｈ２に対して前後方向に反転して取り付けられる。また、マガジン収容機構Ｈ１を払出機構Ｈ２に対して反転して取り付ける場合には、側板３１ｄ，３１ｆに設けられた景品カウントセンサＳ２，Ｓ２（図８参照）を、側板３１ｅ，３１ｇに付け替える（図９参照）。
【００６９】
なお、図３に示すように、上部筐体２Ａと下部筐体２Ｂの左右両端部には、それぞれ固定部２ａ１，２ａ２、固定部２ｃ１，２ｃ２が対向して形成されており、図１７に示す景品払出装置１の平面視において、中心線Ｏ１に対して左右方向対称、かつ、中心線Ｏ２に対して前後方向対称に係合部２ｄ，２ｄ，２ｄ，２ｄが形成され、下部筐体２Ｂを上部筐体２Ａに対して反転設置した場合でも、各係合部２ｃの位置が対応するように構成されている。この係合部２ｄとしては、固定部２ａ１，２ａ２と固定部２ｃ１，２ｃ２の一方にねじ溝が形成された凸部を形成し、他方に凸部が挿入される貫通孔を形成して、凸部を貫通孔に挿通後にナットで固定するような構成であってもよい。あるいは、固定部２ａ１，２ａ２と固定部２ｃ１，２ｃ２の双方に貫通孔を形成し、貫通孔を介してボルトとナットで固定するようにしてもよい。
【００７０】
また、上部筐体２Ａの表示装置２６，２８の電気配線（不図示）については、いずれの方向であっても下部筐体２Ｂ側に設けられた接続基板と接続可能となるように電気配線の長さが調節可能に設計されており、反転利用する場合には電気配線が、クランプ部材等（不図示）を用いて短くなるように調節されて駆動ユニット３と干渉しないようになっている。なお、下部筐体２Ｂに設けられた制御基板における電気接続コネクタを左右両側に対称に設けて、正方向（店員側払出タイプ）に配置した場合には一方側の電気接続コネクタに、逆方向（遊技者側払出タイプ）に配置した場合には他方側の電気接続コネクタに接続されるように構成してもよい。その場合に、上部筐体２Ａ側とボードｔｏボードコネクタ（駆動ユニット３側のオスコネクタ９０と下部筐体２Ｂ側のメスコネクタ２１０との接続と同様なもの）を採用すれば電気接続がさらに容易となる。
【００７１】
次に、本実施形態の景品払出装置１における駆動ユニット３の下部筐体２Ｂへの取り付け手順について図５を参照しながら説明する。図５（ａ）は、店員側払出タイプであり、駆動ユニット３が下部筐体２Ｂのユニット収容部２５に位置決めされた状態を図示しているが、まず、このタイプのときに駆動ユニット３を取り付ける場合には、ユニット固定部８０を反時計回り方向に回動させて、ユニット固定部８０を折り畳んだ状態にしておく（図１１の２点鎖線参照）。そして、図１のユニット着脱用扉２２，２３を上下に大きく開放した状態にし、駆動ユニット３をユニット収容部２５の底まで挿入する。なお、このとき、背面パネル２２ａ（図１（ａ）参照）を外側にスライドさせておくことにより、駆動ユニット３の挿入（または取り外し）作業が容易になる。これにより、駆動ユニット３を下部筐体２Ｂの底部まで完全に挿入すると、駆動ユニット３側のオスコネクタ９０と、下部筐体２Ｂ側のメスコネクタ２１０とが同じ高さ位置で対向した状態になる。そして、駆動ユニット３を前方（図５（ａ）の左側）へスライドさせることによって、オスコネクタ９０とメスコネクタ２１０とが接続される。このようにスライドさせることによって駆動ユニット３のケース１０１の背面１０１ｂとユニット収容部２５の壁面２ｂとの間に隙間が形成されるので、この隙間が形成された状態において、ユニット固定部８０を時計回り方向に回動させることで、ユニット固定部８０の長片部８０ｂが、ユニット収容部２５の壁面２ｂに面同士で当接した状態になる。これにより、駆動ユニット３がユニット収容部２５に位置決めされ、下部筐体２Ｂのユニット収容部２５内において駆動ユニット３が前後左右に移動しないように規制される。またこのとき、長片部８０ｂに形成されたねじ挿通穴８０ｂ１の位置と、壁面２ｂに形成されたねじ穴２ｂ１の位置とが互いに一致するので、この状態で、つまみ付きねじ８２を、ねじ挿通穴８０ｂ１側から挿入してねじ穴２ｂ１にねじ止めすることで、駆動ユニット３が、下部筐体２Ｂの所定の位置に確実に固定される。
【００７２】
このように、ユニット固定部８０を折り畳み自在に設けることにより、駆動ユニット３の収容時および抜き取り時の前後方向へのスライドスペースを確保できるようになり、筐体２に対する駆動ユニット３の着脱作業が容易になる。
【００７３】
なお、本実施形態の景品払出装置１では、駆動ユニット３が４台取付けられるようになっているが、残りの３台の駆動ユニット３についても前記と同様にして装着される。
【００７４】
一方、図５（ｂ）は、遊技者側払出タイプであり、駆動ユニット３が下部筐体２Ｂのユニット収容部２５に位置決めされた状態を図示しているが、駆動ユニット３を取り付ける場合には、前記と同様にしてユニット固定部８０を折り畳んだ状態で、駆動ユニット３をユニット収容部２５に挿入する。そして、挿入後、駆動ユニット３を後方（図５（ｂ）の右側）へスライドさせることによって、オスコネクタ９０とメスコネクタ２１０とが接続される。そして、ユニット固定部８０を反時計回り方向へ回動させて、駆動ユニット３を下部筐体２Ｂのユニット収容部２５に位置決めし、つまみ付きねじ８２を用いて固定する。
【００７５】
次に、筐体２に取付けられた駆動ユニット３へのマガジンＭの装着手順について図１６を参照しながら説明する。なお、図１６では、店員側払出タイプを例に挙げて説明する。上部筐体２Ａのユニット着脱用扉２２，２３を開放した状態において（図３参照）、遊技場の店員は、景品Ｑが収納されたマガジンＭを手に持って、図１６（ａ）に示すように、マガジンＭを所定の傾斜角度に傾けた状態で、マガジンＭの両側に形成された案内溝５１を揺動ガイド部３４に挿入する。なお、このときの傾斜角度は、特定の角度に限定されるものではないが、マガジンＭ内の景品Ｑが倒れない角度で挿入することが好ましく、例えば２０度より大きい角度で挿入することが好ましい。また、このとき、マガジンＭは、挿入時に景品錘６０のつまみ６１が上側となるような向きで挿入される。
【００７６】
マガジンＭを傾斜させた状態でさらに奥側（後方）に挿入すると、マガジンＭのプレート５７が案内ガイド部３５の平坦面３５ｂに当接して、図１６（ａ）の状態に至る。そして、マガジンＭを後側（挿入方向奥側）に揺動、つまりマガジンＭを起立する方向に移動させると、マガジンＭの自重によって、案内溝５１が揺動ガイド部３４に対して摺動しながら、さらにプレート５７が平坦面３５ｂ、傾斜面３５ａ、平坦面３５ｃを順番に下方へと摺動し、図１６（ｂ）の状態に至る。この図１６（ｂ）の状態では、マガジンＭのプレート５３の下側の外面が、ガイド部３７の平坦面３７ｃに対向し、プレート５７の外面が、案内ガイド部３５の平坦面３５ｃに対向することにより、マガジンＭの揺動が規制される。そして、図１６（ｂ）に至ると、マガジンＭの自重によってさらに下降して、マガジンＭの案内溝５１が位置決めガイド部３６に案内され、図１６（ｃ）に示す状態に至り、マガジンＭの装填が完了する。なお、前記したように、図１６（ｃ）の状態では、シャッタ５４が持ち上げられて、景品ＱをベルトＢ２（Ｂ４）によりマガジンＭから搬送させることができるようになり、また景品Ｑと景品錘６０によって景品有無センサＳ１の検出片７１が押圧される。
【００７７】
図１６（ｃ）のようにマガジンＭが装填された状態において、メイン制御部２００からユニット制御部１００に対して、景品Ｑの払出指令が発せられると、ユニット制御部１００は、駆動モータ３２Ａ（３２Ｂ）を駆動する。駆動モータ３２Ａ（３２Ｂ）の駆動力によって、プーリーＰ１，Ｐ２，Ｐ３，Ｐ４（Ｐ５，Ｐ６，Ｐ７，Ｐ８）がそれぞれ回転することで、搬送ベルトＢ２（Ｂ４）が所定の方向Ｗへ駆動する。これにより、搬送ベルトＢ２（Ｂ４）の景品引っ掛け突起４１によって景品Ｑが前方へ押されることで、景品ＱがマガジンＭから排出される。マガジンＭから排出された景品Ｑは、図１５に示すように、下部筐体２Ａに設けられた景品取出口２７に向けて排出される。なお、景品Ｑの払出時には、景品取出し用扉２４は閉じており、すべての景品Ｑの払い出しが完了した時点で開くようにメイン制御部２００によって制御されている。
【００７８】
払い出し時には、図示していないが、景品取出口２７に景品Ｑが積み重なるようにして排出され、景品Ｑによって、景品抜き取りセンサＳ３の検出片７３が押圧される。そして、払い出された景品Ｑを店員が抜き取ったときに検出片７３が復帰（突出）することで、ユニット制御部１００は、景品Ｑが抜き取られたことを認識する。そして、ユニット制御部１００から景品が抜き取られた旨の信号が送信され、メイン制御部２００が、この信号を受信して、景品Ｑが払い出されたすべての景品取出口２７から景品Ｑが抜き取られたことを認識すると、景品取出し用扉２４を閉じるように制御する。
【００７９】
なお、メイン制御部２００は、駆動ユニット３の着脱状態を検知する判定手段を備えており、筐体２から一部の駆動ユニット３が取り外されて、オスコネクタ９０とメスコネクタ２１０との接続が遮断されたことを検知すると、駆動ユニット３が脱状態であると判断して、残りの駆動ユニット３で景品Ｑの払出しを継続する。このように構成することで、業務が中断するのを極力抑えることが可能になる。
【００８０】
また、景品払出装置１が遊技者側払出タイプに変更された場合には、駆動モータ３２Ａ（３２Ｂ）、プーリーＰ１，Ｐ２，Ｐ３，Ｐ４（Ｐ５，Ｐ６，Ｐ７，Ｐ８）の位置が前後方向に反転した位置となるが、駆動モータ３２Ａ（３２Ｂ）が、店員側払出タイプの場合と同じ方向（図１６（ｃ）と同じ方向Ｗ）に回転させられることで、マガジンＭから景品Ｑが払い出される。ただし、遊技者側払出タイプの場合、マガジン収容機構Ｈ１が払出機構Ｈ２に対して反転して取付けられるので、マガジン収容機構Ｈ１に設けられたシャッタ開閉板３１Ｓと逆挿し防止板３１Ｔの位置を前後方向に反転して取り付けることで、駆動ユニット３に装填されたマガジンＭから景品Ｑを払い出せるようになる。
【００８１】
このように、本実施形態では、マガジンＭを傾斜させた状態で挿入することができるので、景品払出装置の真上から位置を確認しながら挿入する必要がなくなり、マガジンＭの装填作業を容易にすることができる。よって、背が低めの店員であっても、マガジンの装填作業を容易に行うことができるようになる。
【００８２】
また、本実施形態では、揺動ガイド部３４が円形状に曲面を有して形成されているので、マガジンＭを連続的に滑らかに揺動させながらマガジンＭの装填作業を行うことができる。なお、揺動ガイド部３４は、マガジンＭを円滑に動作させることができるものであれば円形に限定されるものではなく、楕円形、半円形などであってもよい。あるいは、揺動ガイド部３４は、回転可能に支持されたローラなどであってもよい。また、傾斜面３５ａを備えた案内ガイド部３５が設けられているので、この点においても、マガジンＭの装填作業を円滑に行うことが可能になる。さらに、位置決めガイド部３６が設けられているので、マガジンＭの案内としての機能とともに、位置決めとしての機能を付与することができる。
【００８３】
さらに、本実施形態では、案内ガイド部３５およびガイド部３７に、上側に向けて徐々に広くなる傾斜面３５ａ，３７ａが形成されているので、マガジンＭを真上から挿入する場合であっても、多少マガジンＭが傾斜した状態で挿入されたとしても、マガジンＭを引っ掛かりなく案内しながら装填することが可能になる。なお、マガジンＭの抜き取り時に、図１６（ｂ）の状態を越えると、つまりマガジンＭが図１６（ｃ）から図１６（ｂ）の状態を経てさらに上方に引き上げられると、図１６（ａ）のようにマガジンＭを傾けることができるようになるが、図１６（ｃ）の状態から図１６（ｂ）の状態を少し越えたときに、クリック音を出すようにすると、マガジンＭを抜くときにどのタイミングで傾ければよいかがわかる。
【００８４】
このように、本実施形態の景品払出装置１は、下部筐体２Ｂが、上部筐体２Ａに対して前後方向に反転取付可能に構成されているので、景品払出装置１の設置後であっても、運用後の遊技者の動向に応じて、店員側払出タイプと遊技者側払出タイプとを変更することができる。したがって、設置前（発注時や購入時）にいずれかのタイプに決定しなければならないという制約を設ける必要がなくなる。
【００８５】
また、本実施形態の景品払出装置１では、上部筐体２Ａと下部筐体２Ｂとを反転取付可能としたことにより、景品取出口２７が設けられている側のみを反転させることができ、遊技者用の表示装置２８が設けられている側は遊技者側を向いたままにできるので、遊技者用の表示装置２８を、筐体２に店員側と遊技者側の両側に設ける必要がなくなり、コスト高となるのを防止できる。また、反転取付したとしても、マガジンＭを着脱する際のユニット着脱用扉２２，２３は、店員側を向いたままにできるので、店員側払出タイプで作業するときと同様に、店員側において景品Ｑの補充作業、メンテナンス作業などを行うことができる。
【００８６】
また、本実施形態の景品払出装置１では、マガジン収容機構Ｈ１が、払出機構Ｈ２に対して反転取付可能に構成されているので、店員側払出タイプから遊技者側払出タイプに変更したとしても、駆動ユニット３に設けられた開放部Ｐａ，Ｐｂは、店員側を向いたままにできるので、マガジンＭの装填作業を、店員側払出タイプのときと同様に容易に行うことができる。
【００８７】
また、本実施形態の景品払出装置１では、マガジン収容機構Ｈ１と払出機構Ｈ２とが１ユニット化して設けられているので、反転取付する場合であっても、マガジン収容機構Ｈ１、景品カウントセンサＳ２、シャッタ開閉板３１Ｓ、逆挿し防止板３１Ｔだけを付け替えるだけで対応できるので、払出しタイプの変更作業を容易にできる。
【００８８】
また、本実施形態の景品払出装置１では、図５（ｂ）に示すように、マガジン収容機構Ｈ１を払出機構Ｈ２に対して反転して取り付けたとしても、マガジン収容機構Ｈ１の開放部Ｐａ，Ｐｂを構成する切欠部３１ａ１の前端上縁部の高さと、ユニット制御部１００が収容されるケース１０１の上面１０１ａの高さとが一致しているので、マガジンＭの装填作業が損なわれることがなく、店員側払出タイプの場合と同様に装填作業の容易性を維持できる。
【００８９】
なお、本実施形態では、一の駆動ユニット３にマガジンＭを２個装填できる構成にしたが、一の駆動ユニットを、一のマガジン収容空間、一の駆動モータおよび一の駆動力伝達機構で構成してもよい。また、一のマガジンＭに対して一の駆動モータで構成したが、一の駆動モータで複数のマガジンＭの景品に搬送力を与えるように構成してもよい。
【図面の簡単な説明】
【００９０】
【図１】本実施形態の景品払出装置の外観側面図を示し、（ａ）は店員側払出タイプに設定したとき、（ｂ）は遊技者側払出タイプに設定したときである。
【図２】本実施形態の景品払出装置の外観正面図を示し、（ａ）は店員側払出タイプに設定したとき、（ｂ）は遊技者側払出タイプに設定したときである。
【図３】本実施形態の景品払出装置を店員側払出タイプに設定したときの内部構造を示す分解斜視図である。
【図４】本実施形態の景品払出装置を遊技者側払出タイプに設定したときの内部構造を示す分解斜視図である。
【図５】駆動ユニットが下部筐体に取付けられた状態の側面図を示し、（ａ）は店員側払出タイプに設定されたとき、（ｂ）は遊技者側払出タイプに設定されたときである。
【図６】店員側払出タイプに設定されたときの駆動ユニットの平面図である。
【図７】遊技者側払出タイプに設定されたときの駆動ユニットの平面図である。
【図８】店員側払出タイプに設定されたときの駆動ユニットの店員側から見たときの正面図である。
【図９】遊技者側払出タイプに設定されたときの駆動ユニットの遊技者側から見たときの正面図である。
【図１０】本実施形態の景品払出装置を店員側払出タイプに設定したときの外観斜視図を示し、（ａ）は店員側から見たとき、（ｂ）は遊技者側から見たときである。
【図１１】図８のＡ−Ａ線矢視図である。
【図１２】図８のＢ−Ｂ線矢視図である。
【図１３】駆動ユニットに装填されるマガジンを示し、（ａ）は側面図、（ｂ）は正面図、（ｃ）は背面図、（ｄ）は（ａ）のＣ−Ｃ断面図である。
【図１４】本実施形態の景品払出装置を示す制御ブロック図である。
【図１５】景品取出口の拡大斜視図である。
【図１６】マガジンをマガジン収容空間に収容するときの動作説明図であり、（ａ）はマガジンの挿入初期の状態、（ｂ）はマガジンの挿入途中の状態、（ｃ）はマガジンの挿入完了状態である。
【図１７】本実施形態の景品払出装置を上方からみたときの透視平面図である。
【符号の説明】
【００９１】
１      景品払出装置
２Ａ    上部筐体
２Ｂ    下部筐体
３      駆動ユニット
２２，２３  ユニット着脱用扉（収容扉部）
２７    景品取出口
２８    表示装置
３４    揺動ガイド部
３５    案内ガイド部
３７    ガイド部
Ｈ１    マガジン収容機構
Ｈ２    払出機構
Ｍ      マガジン
Ｐａ，Ｐｂ  開放部
Ｑ      景品
Ｓａ，Ｓｂ  マガジン収容空間
【図１】
2008000349.tif 000003
【図２】
2008000349.tif 000004
【図３】
2008000349.tif 000005
【図４】
2008000349.tif 000006
【図５】
2008000349.tif 000007
【図６】
2008000349.tif 000008
【図７】
2008000349.tif 000009
【図８】
2008000349.tif 000010
【図９】
2008000349.tif 000011
【図１０】
2008000349.tif 000012
【図１１】
2008000349.tif 000013
【図１２】
2008000349.tif 000014
【図１３】
2008000349.tif 000015
【図１４】
2008000349.tif 000016
【図１５】
2008000349.tif 000017
【図１６】
2008000349.tif 000018
【図１７】
2008000349.tif 000019